(57)【要約】【課題】トナーや用紙の無駄を削減しつつ、ユーザーの負荷を低減させることが可能なラベル印刷装置、ラベル印刷方法及びプログラムを提供する。【解決手段】用紙にラベルを印刷する画像形成部２２４と、画像形成部２２４によりラベルが印刷された用紙を読み取り、ラベルを検査する画像検査部（検査部２３１）と、画像検査部によりラベルの不良が検出された場合に実施される画像形成部２２４による再印刷の範囲を、再印刷の後工程で後処理装置３０により実施される後処理の情報に基づいて決定する印刷制御部（制御部２２１）と、を備える。【選択図】図２
2020185729.tif 000002
【特許請求の範囲】
【請求項１】
用紙にラベルを印刷する画像形成部と、
前記画像形成部により前記ラベルが印刷された用紙を読み取り、前記ラベルを検査する画像検査部と、
前記画像検査部により前記ラベルの不良が検出された場合に実施される前記画像形成部による再印刷の範囲を、前記再印刷の後工程で後処理装置により実施される後処理の情報に基づいて決定する印刷制御部と、
を備えることを特徴とするラベル印刷装置。
【請求項２】
前記画像形成部による再印刷の前に、印刷結果と、前記印刷制御部により決定された再印刷範囲及びその他の再印刷範囲の候補と、前記再印刷の方法と、を表示部にプレビュー表示させる表示制御部を備えることを特徴とする請求項１に記載のラベル印刷装置。
【請求項３】
前記表示部にプレビュー表示された再印刷範囲及びその他の再印刷範囲の候補から、再印刷範囲を指定可能な操作部を備えることを特徴とする請求項２に記載のラベル印刷装置。
【請求項４】
前記操作部は、前記表示部にプレビュー表示された再印刷範囲及びその他の再印刷範囲の候補以外にも、再印刷範囲を任意に指定可能であることを特徴とする請求項３に記載のラベル印刷装置。
【請求項５】
前記操作部は、前記再印刷の開始前まで、再印刷範囲を変更可能であることを特徴とする請求項３又は４に記載のラベル印刷装置。
【請求項６】
前記操作部は、前記再印刷されるラベルにバリアブル領域があり、かつ、前記バリアブル領域内に連番のデータが含まれている場合、再印刷範囲を連番範囲で指定可能であることを特徴とする請求項３〜５のいずれか一項に記載のラベル印刷装置。
【請求項７】
前記操作部は、前記後処理にスリット処理が含まれている場合、異常が発生した列と同じ列に再印刷するモードを指定可能であることを特徴とする請求項３〜６のいずれか一項に記載のラベル印刷装置。
【請求項８】
前記操作部は、ユーザーにより指定された第１の再印刷範囲よりも１段階広い第２の再印刷範囲における異常数又は異常率が所定値以上の場合に、前記第２の再印刷範囲で再印刷するモードを指定可能であることを特徴とする請求項３〜７のいずれか一項に記載のラベル印刷装置。
【請求項９】
前記操作部は、前記再印刷の開始を、ジョブの最後にするか又は特定の再印刷データが溜まったときにするか、指定可能であることを特徴とする請求項３〜８のいずれか一項に記載のラベル印刷装置。
【請求項１０】
用紙にラベルを印刷する画像形成部と、前記画像形成部により前記ラベルが印刷された用紙を読み取り、前記ラベルを検査する画像検査部と、を備えるラベル印刷装置のラベル印刷方法であって、
前記画像検査部により前記ラベルの不良が検出された場合に実施される前記画像形成部による再印刷の範囲を、前記再印刷の後工程で後処理装置により実施される後処理の情報に基づいて決定する印刷制御工程を含むラベル印刷方法。
【請求項１１】
用紙にラベルを印刷する画像形成部と、前記画像形成部により前記ラベルが印刷された用紙を読み取り、前記ラベルを検査する画像検査部と、を備えるラベル印刷装置のコンピュータを、
前記画像検査部により前記ラベルの不良が検出された場合に実施される前記画像形成部による再印刷の範囲を、前記再印刷の後工程で後処理装置により実施される後処理の情報に基づいて決定する印刷制御部として機能させるためのプログラム。
【発明の詳細な説明】
【技術分野】
【０００１】
本発明は、ラベル印刷装置、ラベル印刷方法及びプログラムに関する。
【背景技術】
【０００２】
従来、台紙と粘着紙とが順に積層された被印刷媒体（用紙）に、絵、図形、記号（文字）、バーコードなどの画像（以下、ラベル（又はラベル画像）ともいう）を形成するラベル印刷装置が知られている。このようなラベル印刷装置の中には、印刷後の用紙を検品する機能（検品機能）を有するものがある。また、検品機能を有するラベル印刷装置により、異常と判定されたページがある場合、そのページを再印刷する機能（リカバリ機能）を有するものもある。
【０００３】
一般に、ラベル印刷装置によるラベル印刷では、用紙の無駄をなくすため、１ページに複数のラベルを配置して印刷する。したがって、検品機能で異常と判定されたページがある場合、当該ページ内に複数配置されたラベルのうち一部のラベルだけが異常であるにもかかわらず、丸々１ページ分を再印刷することとなるため、トナーやインク、用紙等の無駄が発生する。
【０００４】
そこで、上記の問題を解決するため、異常と判定されたラベルに対応する数量のみを再印刷するようにし、ユーザーが異常ラベルと再印刷ラベルとを貼り替えできるようにした構成が開示されている（例えば、特許文献１参照）。
【先行技術文献】
【特許文献】
【０００５】
【特許文献１】特開２０１４−１９１７０７号公報
【発明の概要】
【発明が解決しようとする課題】
【０００６】
ところで、ラベルには様々な納品形態がある。例えば、ロールのまま（ただし複数のロールにカットする場合あり）納品する形態、１ページごとに断裁し、１ページに複数のラベルを配置して納品する形態、１ページをさらに複数のシートに断裁し、１シートに複数のラベルを配置して納品する形態、ラベルごとに断裁して納品する形態などが挙げられる。複数のシートに断裁する場合、１ページ分を再印刷すると、トナーやインク、用紙等の無駄が発生する。
また、上記特許文献１記載の技術のように、ラベルごとに再印刷する構成では、ユーザーによるラベルの貼り替え作業が必要となるため、手間が掛かる上、貼り替えミスが発生する虞もある。
【０００７】
本発明は、トナーや用紙の無駄を削減しつつ、ユーザーの負荷を低減させることが可能なラベル印刷装置、ラベル印刷方法及びプログラムを提供することを目的とする。
【課題を解決するための手段】
【０００８】
請求項１に記載の発明は、上記目的を達成するためになされたものであり、
ラベル印刷装置において、
用紙にラベルを印刷する画像形成部と、
前記画像形成部により前記ラベルが印刷された用紙を読み取り、前記ラベルを検査する画像検査部と、
前記画像検査部により前記ラベルの不良が検出された場合に実施される前記画像形成部による再印刷の範囲を、前記再印刷の後工程で後処理装置により実施される後処理の情報に基づいて決定する印刷制御部と、
を備えることを特徴とする。
【０００９】
請求項２に記載の発明は、請求項１に記載のラベル印刷装置において、
前記画像形成部による再印刷の前に、印刷結果と、前記印刷制御部により決定された再印刷範囲及びその他の再印刷範囲の候補と、前記再印刷の方法と、を表示部にプレビュー表示させる表示制御部を備えることを特徴とする。
【００１０】
請求項３に記載の発明は、請求項２に記載のラベル印刷装置において、
前記表示部にプレビュー表示された再印刷範囲及びその他の再印刷範囲の候補から、再印刷範囲を指定可能な操作部を備えることを特徴とする。
【００１１】
請求項４に記載の発明は、請求項３に記載のラベル印刷装置において、
前記操作部は、前記表示部にプレビュー表示された再印刷範囲及びその他の再印刷範囲の候補以外にも、再印刷範囲を任意に指定可能であることを特徴とする。
【００１２】
請求項５に記載の発明は、請求項３又は４に記載のラベル印刷装置において、
前記操作部は、前記再印刷の開始前まで、再印刷範囲を変更可能であることを特徴とする。
【００１３】
請求項６に記載の発明は、請求項３〜５のいずれか一項に記載のラベル印刷装置において、
前記操作部は、前記再印刷されるラベルにバリアブル領域があり、かつ、前記バリアブル領域内に連番のデータが含まれている場合、再印刷範囲を連番範囲で指定可能であることを特徴とする。
【００１４】
請求項７に記載の発明は、請求項３〜６のいずれか一項に記載のラベル印刷装置において、
前記操作部は、前記後処理にスリット処理が含まれている場合、異常が発生した列と同じ列に再印刷するモードを指定可能であることを特徴とする。
【００１５】
請求項８に記載の発明は、請求項３〜７のいずれか一項に記載のラベル印刷装置において、
前記操作部は、ユーザーにより指定された第１の再印刷範囲よりも１段階広い第２の再印刷範囲における異常数又は異常率が所定値以上の場合に、前記第２の再印刷範囲で再印刷するモードを指定可能であることを特徴とする。
【００１６】
請求項９に記載の発明は、請求項３〜８のいずれか一項に記載のラベル印刷装置において、
前記操作部は、前記再印刷の開始を、ジョブの最後にするか又は特定の再印刷データが溜まったときにするか、指定可能であることを特徴とする。
【００１７】
請求項１０に記載の発明は、
用紙にラベルを印刷する画像形成部と、前記画像形成部により前記ラベルが印刷された用紙を読み取り、前記ラベルを検査する画像検査部と、を備えるラベル印刷装置のラベル印刷方法であって、
前記画像検査部により前記ラベルの不良が検出された場合に実施される前記画像形成部による再印刷の範囲を、前記再印刷の後工程で後処理装置により実施される後処理の情報に基づいて決定する印刷制御工程を含む。
【００１８】
請求項１１に記載の発明は、
用紙にラベルを印刷する画像形成部と、前記画像形成部により前記ラベルが印刷された用紙を読み取り、前記ラベルを検査する画像検査部と、を備えるラベル印刷装置のコンピュータを、
前記画像検査部により前記ラベルの不良が検出された場合に実施される前記画像形成部による再印刷の範囲を、前記再印刷の後工程で後処理装置により実施される後処理の情報に基づいて決定する印刷制御部として機能させるためのプログラムである。
【発明の効果】
【００１９】
本発明によれば、トナーや用紙の無駄を削減しつつ、ユーザーの負荷を低減させることができる。
【図面の簡単な説明】
【００２０】
【図１】本実施形態に係るラベル印刷システムの構成を示す図である。
【図２】ラベル印刷装置の主制御構成を示すブロック図である。
【図３】本実施形態に係るラベル印刷システムの動作の一例を示すフローチャートである。
【図４】後処理の一覧と取得する情報の一例を示す図である。
【図５】再印刷範囲決定処理の一例を示すフローチャートである。
【図６】ラベル印刷の一例を示す図である。
【図７】ラベル印刷における断裁の一例を示す図である。
【図８】再印刷範囲の候補の一例を示す図である。
【図９】ユーザーが再印刷範囲を指定するための再印刷範囲指定画面の一例を示す図である。
【図１０】連番範囲入力画面の一例を示す図である。
【図１１】断裁にスリット処理がある場合の一例を示す図である。
【図１２】ラベルが「同じ列」に再印刷される様子の一例を示す図である。
【図１３】再印刷範囲内の異常数に応じて再印刷範囲を変更するための範囲変更値設定画面の一例を示す図である。
【発明を実施するための形態】
【００２１】
以下、本発明の実施の形態について、図面を参照して詳細に説明する。
【００２２】
［１．構成の説明］
［１−１．システム構成の説明］
本実施形態に係るラベル印刷システム１は、図１に示すように、サーバー装置１０と、ラベル印刷装置２０と、後処理装置３０と、端末装置４０と、を備えて構成されている。ラベル印刷システム１を構成する各装置は、通信ネットワークＮにデータ通信可能に接続される。通信ネットワークＮは、具体的には、電話回線、専用線、移動体通信網、通信衛星網、ＣＡＴＶ回線等の様々な通信回線を適用可能なＬＡＮ（Local Area Network）である。なお、ＷＡＮ（Wide Area Network）やインターネット等の様々なネットワーク形態を適用してもよい。
【００２３】
サーバー装置１０は、ＰＣ、ＷＳ等の情報機器である。サーバー装置１０には、ラベル印刷に係るジョブを管理するソフトウェア（ジョブ管理ソフト）が搭載されている。サーバー装置１０は、ジョブ管理ソフトの制御により、ラベル印刷装置２０に対して印刷指示を行う。サーバー装置１０は、１台で構成されるものとするが、これに限定されるものではなく、複数台の装置から構成されるものとしてもよい。
【００２４】
ラベル印刷装置２０は、台紙と粘着紙とが順に積層された用紙に、絵、図形、記号（文字）、バーコードなどの画像（ラベル）を形成する。
【００２５】
後処理装置３０は、ラベル印刷装置２０でラベルが印刷された用紙に後処理を行う。後処理としては、例えば、型抜き、断裁などが挙げられる。
【００２６】
端末装置４０は、デスクトップＰＣ等の据え置き型の端末装置である。端末装置４０は、直接又はサーバー装置１０に搭載されたジョブ管理ソフト経由で、ラベル印刷装置２０に対して印刷指示を行う。
【００２７】
［１−２．ラベル印刷装置の構成の説明］
ラベル印刷装置２０は、ロール紙上に画像を形成する装置である。ラベル印刷装置２０は、図２に示すように、ロール紙の搬送方向（用紙搬送方向）に沿って上流側から、給紙装置２１、画像形成装置２２、画像検査装置２３、巻き取り装置２４が接続されて構成されている。なお、本実施形態では、ロール紙を通紙する構成を例示して説明しているが、これに限定されるものではなく、枚葉紙（カット紙）を通紙する構成であってもよい。
【００２８】
給紙装置２１は、ロール紙を画像形成装置２２に給紙する装置である。給紙装置２１は、支持軸に巻回されたロール紙を、例えば、繰り出しローラー、給紙ローラー等の複数の搬送ローラー対を経由して、一定の速度で画像形成装置２２に搬送する。給紙装置２１の給紙動作は、画像形成装置２２が備える制御部２２１によって制御される。
【００２９】
画像形成装置２２は、図２に示すように、制御部２２１と、記憶部２２２と、情報取得部２２３と、画像形成部２２４と、操作部２２５と、表示部２２６と、を備えて構成されている。
【００３０】
制御部２２１は、ＣＰＵ、ＲＯＭ、ＲＡＭ等を備える。制御部２２１のＣＰＵは、ＲＯＭから処理内容に応じたプログラムを読み出してＲＡＭに展開し、展開したプログラムと協働して画像形成装置２２の各ブロックや、給紙装置２１、画像検査装置２３、巻き取り装置２４等の動作を集中制御する。
例えば、制御部２２１は、画像検査装置２３（検査部２３１）によりラベルの不良が検出された場合に実施される画像形成部２２４による再印刷の範囲を、再印刷の後工程で後処理装置３０により実施される後処理の情報に基づいて決定する本発明の印刷制御部として機能する。
【００３１】
記憶部２２２は、不揮発性の半導体メモリ（いわゆるフラッシュメモリ）やハードディスクドライブ等により構成される。記憶部２２２は、入力されたジョブの画像データやジョブの設定情報等を記憶する。なお、これらのデータ等は制御部２２１のＲＡＭに記憶されてもよい。
【００３２】
情報取得部２２３は、ＬＡＮカード等の通信制御カードで構成され、ＬＡＮ、ＷＡＮ等の通信ネットワークＮに接続された外部装置（サーバー装置１０、後処理装置３０、端末装置４０）から送られた各種情報を取得する。
【００３３】
画像形成部２２４は、外部装置（端末装置４０、サーバー装置１０）から通信ネットワークＮ経由で受け取った印刷ジョブに基づいて、給紙装置２１から供給された用紙（ロール紙）上に画像（ラベル）を形成（印刷）する。画像形成部２２４は、帯電された感光体に形成される静電潜像が現像されてトナー像となり、中間転写ベルト上で各色のトナー像が重ね合わされてから用紙に転写される、いわゆる電子写真方式の画像形成部である。
【００３４】
操作部２２５は、表示部２２６の表示画面上を覆うように形成されたタッチパネルや、数字ボタン、スタートボタン等の各種操作ボタンを備え、ユーザーの操作に基づく操作信号を制御部２２１に出力する。例えば、操作部２２５は、表示部２２６にプレビュー表示された再印刷範囲及びその他の再印刷範囲から、再印刷範囲を指定するユーザー操作を受け付ける。
【００３５】
表示部２２６は、ＬＣＤ（Liquid Crystal Display）により構成され、制御部２２１から入力される表示信号の指示に従って各種画面を表示する。
【００３６】
画像検査装置２３は、検査部（画像検査部）２３１を備えて構成されている。
検査部２３１は、画像形成装置２２（画像形成部２２４）によりラベルが印刷された用紙を光学的に読み取り、基準画像と比較して読み取り画像（ラベル）が正常か否かを検査する。
【００３７】
巻き取り装置２４は、画像検査装置２３から搬送されてきたロール紙を、複数の搬送ローラー対（例えば、繰り出しローラー、排紙ローラー）を経由して、一定の速度で支持軸に巻き取る装置である。巻き取り装置２４の巻き取り動作は、画像形成装置２２が備える制御部２２１によって制御される。
【００３８】
［２．動作の説明］
次に、本実施形態に係るラベル印刷システム１におけるラベル印刷装置２０（画像形成装置２２）の動作について、図３のフローチャートを参照して説明する。
【００３９】
まず、画像形成装置２２の制御部２２１は、印刷する画像データを読み込む（ステップＳ１０１）。
【００４０】
次に、制御部２２１は、後処理情報を取得する（ステップＳ１０２）。後処理情報は、ステップＳ１０１で読み込んだ画像データの中に含まれている。ただし、ステップＳ１０１で読み込んだ画像データの中に後処理情報が含まれていない場合は、後処理装置３０、サーバー装置１０に搭載されたジョブ管理ソフト、端末装置４０に搭載されたジョブ生成ソフト等から取得する。
【００４１】
図４に、後処理の一覧と取得する情報の一例を示す。
本実施形態では、後処理として、型抜き及び断裁が示されている。
型抜きには、ラベルを１つずつ台紙まで型抜きするフルカットと、粘着紙のみを型抜きし、台紙は型抜きしないハーフカットと、が含まれている。制御部２２１は、後処理情報として、フルカット及びハーフカットの有無を取得する。また、制御部２２１は、フルカット及びハーフカットのいずれの場合であっても、後処理情報として、型抜きの範囲のカットパス情報（断裁位置情報）を取得する。
断裁には、用紙の幅方向に断裁するスリット処理と、用紙の長さ方向（用紙搬送方向）に断裁するカット処理と、が含まれている。制御部２２１は、後処理情報として、スリット処理及びカット処理の有無を取得する。また、制御部２２１は、スリット処理の場合、後処理情報として、スリットの本数及び幅の情報を取得する。また、制御部２２１は、カット処理の場合、後処理情報として、カットの長さの情報を取得する。なお、スリット処理及びカット処理の情報は、画像データの中に線やマークとして含まれているケースもあるため、その場合は画像データを解析して情報を取得する。
【００４２】
次に、制御部２２１は、ステップＳ１０１で読み込んだ画像データ及びステップＳ１０２で取得した後処理情報に基づいて、再印刷範囲の候補を取得するとともに、再印刷範囲を決定する再印刷範囲決定処理を行う（ステップＳ１０３）。
【００４３】
具体的には、図５のフローチャートに示すように、まず、制御部２２１は、ステップＳ１０２で取得した後処理情報を参照して、型抜きがあるか否かを判定する（ステップＳ２０１）。
制御部２２１は、型抜きがあると判定した場合（ステップＳ２０１：ＹＥＳ）、次のステップＳ２０２へと移行する。
一方、制御部２２１は、型抜きがないと判定した場合（ステップＳ２０１：ＮＯ）、ステップＳ２０５へと移行する。
【００４４】
次に、制御部２２１は、型抜き範囲を再印刷範囲の候補として記憶部２２２に記憶させる（ステップＳ２０２）。
【００４５】
次に、制御部２２１は、型抜きがフルカットであるか否かを判定する（ステップＳ２０３）。
制御部２２１は、型抜きがフルカットであると判定した場合（ステップＳ２０３：ＹＥＳ）、次のステップＳ２０４へと移行する。
一方、制御部２２１は、型抜きがフルカットでない（すなわち、ハーフカットである）と判定した場合（ステップＳ２０３：ＮＯ）、ステップＳ２０５へと移行する。
【００４６】
次に、制御部２２１は、型抜き範囲を再印刷範囲として決定する（ステップＳ２０４）。これは、フルカットの場合、ラベルが１つずつ断裁されることから、ラベル１つに異常が発生した場合、再印刷も１つずつでよいからである。
【００４７】
次に、制御部２２１は、ステップＳ１０２で取得した後処理情報を参照して、断裁があるか否かを判定する（ステップＳ２０５）。
制御部２２１は、断裁があると判定した場合（ステップＳ２０５：ＹＥＳ）、次のステップＳ２０６へと移行する。
一方、制御部２２１は、断裁がないと判定した場合（ステップＳ２０５：ＮＯ）、ステップＳ２１０へと移行する。
【００４８】
次に、制御部２２１は、ステップＳ１０２で取得した後処理情報を参照して、シート範囲（スリット処理及びカット処理からなる最小の範囲）を判定する（ステップＳ２０６）。
【００４９】
図６に、ラベル印刷の一例を示す。なお、図６において、符号Ｐは用紙（ロール紙）を、符号ＬＡ１はラベルを、それぞれ示している。
また、図７に、ラベル印刷における断裁の一例を示す。なお、図７において、実線Ｌ１はスリット処理で断裁される線（スリット線）、点線Ｌ２はカット処理で断裁される線（断裁線）を、符号Ｅ１（斜線が引かれた領域）はスリット処理及びカット処理からなる最小の範囲であるシート範囲を、それぞれ示している。
【００５０】
次に、制御部２２１は、ステップＳ２０６で判定したシート範囲を再印刷範囲の候補として記憶部２２２に記憶させる（ステップＳ２０７）。
【００５１】
次に、制御部２２１は、再印刷範囲が決定済みであるか否かを判定する（ステップＳ２０８）。
制御部２２１は、再印刷範囲が決定済みであると判定した場合（ステップＳ２０８：ＹＥＳ）、ステップＳ２１０へと移行する。
一方、制御部２２１は、再印刷範囲が決定済みでないと判定した場合（ステップＳ２０８：ＮＯ）、シート範囲を再印刷範囲として決定する（ステップＳ２０９）。
【００５２】
次に、制御部２２１は、ページ範囲を再印刷範囲の候補として記憶部２２２に記憶させる（ステップＳ２１０）。
【００５３】
次に、制御部２２１は、再印刷範囲が決定済みであるか否かを判定する（ステップＳ２１１）。
制御部２２１は、再印刷範囲が決定済みであると判定した場合（ステップＳ２１１：ＹＥＳ）、再印刷範囲決定処理を終了し、図３のステップＳ１０４へと移行する。
一方、制御部２２１は、再印刷範囲が決定済みでないと判定した場合（ステップＳ２１１：ＮＯ）、ページ範囲を再印刷範囲として決定し（ステップＳ２１２）、図３のステップＳ１０４へと移行する。
【００５４】
図３のステップＳ１０４において、制御部２２１は、ステップＳ１０３で決定した再印刷範囲及び再印刷範囲の候補を表示部２２６に表示させる。
【００５５】
図８に、再印刷範囲の候補の一例を示す。図８に示す例では、再印刷範囲の候補として、範囲Ａ（型抜き範囲（ラベル））、範囲Ｂ（シート範囲）、範囲Ｃ（ページ範囲）が挙げられている。
【００５６】
図９に、ユーザーが再印刷範囲を指定するための再印刷範囲指定画面Ｇ１の一例を示す。
再印刷範囲指定画面Ｇ１には、再印刷範囲の候補をプレビュー表示する印刷プレビュー表示領域Ｇ１１と、再印刷される画像をプレビュー表示する再印刷プレビュー表示領域Ｇ１２と、ユーザーが再印刷範囲を設定するための再印刷範囲設定領域Ｇ１３と、再印刷範囲設定時のオプション（再印刷方法）を設定するためのオプション設定領域Ｇ１４と、が含まれている。印刷プレビュー表示領域Ｇ１１には、型抜き情報及び断裁情報が重ねて表示されている。
【００５７】
再印刷範囲指定画面Ｇ１の表示開始時は、システムが決定した範囲が選択されている。図９に示す例では、再印刷範囲設定領域Ｇ１３において「範囲Ｂ」が選択されており、印刷プレビュー表示領域Ｇ１１では「範囲Ｂ」が実線で強調表示され、再印刷プレビュー表示領域Ｇ１２では「範囲Ｂ」の画像が表示されている。また、印刷プレビュー表示領域Ｇ１１では、再印刷範囲の候補として、範囲Ａ及び範囲Ｃが点線で表示されている。ユーザーは、操作部２２５を操作して、プレビュー表示された再印刷範囲及びその他の再印刷範囲の候補から、再印刷範囲を指定する。再印刷範囲は、再印刷の開始前まで変更可能である。
【００５８】
なお、再印刷範囲設定領域Ｇ１３においては、範囲Ａ〜Ｃ以外にも、ユーザーが任意に指定した範囲を指定することもできる。この場合のユーザーによる指定方法としては、印刷プレビュー表示領域Ｇ１１上でラベルを選択する方法や、ドラッグ操作で囲む方法等が挙げられる。
再印刷プレビュー表示領域Ｇ１２に表示されている矢印Ｙ１は、次の再印刷が行われる方向（範囲）を示している。なお、矢印Ｙ１の代わりに、アニメーションで次の再印刷が行われる方向を表現するようにしてもよい。
【００５９】
オプション設定領域Ｇ１４には、再印刷範囲設定時のオプションとして、「連番範囲ＯＰ１」と、「列固定ＯＰ２」と、「異常数で範囲を変更ＯＰ３」と、が選択可能に設けられている。
【００６０】
連番範囲ＯＰ１は、画像データ（再印刷されるラベル）にバリアブル領域があり、かつ、その中に連番のデータが含まれている場合に表示（又はグレーアウト解除）され、指定可能となる。連番範囲ＯＰ１をオンにする（チェックを入れる）と、連番範囲入力画面Ｇ２（図１０参照）が表示される。
連番範囲入力画面Ｇ２において、ユーザーにより連番範囲が指定された場合、その連番範囲内に異常が１つでもあると、その連番範囲が全て再印刷される。すなわち、ユーザーは、操作部２２５を操作して、再印刷されるラベルにバリアブル領域があり、かつ、バリアブル領域内に連番のデータが含まれている場合、再印刷範囲を連番範囲で指定することができる。
例えば、図１０に示すように、範囲：１０、連番開始番号：００００１とした場合、００００１〜０００１０、０００１１〜０００２０、０００３１〜０００３０、…の１０個単位で区切られる。ここで、０００１３のラベルに異常が検出された場合、０００１３を含む０００１１〜０００２０のラベルが再印刷される。
【００６１】
列固定ＯＰ２は、断裁（後処理）にスリット処理が含まれている場合に表示（又はグレーアウト解除）され、指定可能となる。図１１に、断裁にスリット処理がある場合の一例を示す。図１１に示す例では、スリット線Ｌ１で区切られた上側の領域（列）にラベルＬＡ１が、スリット線Ｌ１で区切られた下側の領域（列）にラベルＬＡ２が、それぞれ印字されている。また、図１１に示す例では、スリット線Ｌ１で区切られた上側の列に、異常ＥＲが２か所発生している。本実施形態では、列固定ＯＰ２をオンにする（チェックを入れる）と、異常が２か所ある場合（図１１参照）でも、図１２に示すように、異常が発生した列と同じ列にラベルが再印刷される（再印刷の列が固定される）。すなわち、ユーザーは、操作部２２５を操作して、後処理にスリット処理が含まれている場合、異常が発生した列と同じ列に再印刷するモードを指定することができる。
【００６２】
異常数で範囲を変更ＯＰ３は、複数の再印刷範囲の候補があり、かつ、ユーザーが再印刷範囲（例えば、最小範囲（ラベル））を選択している場合に表示（又はグレーアウト解除）され、指定可能となる。異常数で範囲を変更ＯＰ３をオンにする（チェックを入れる）と、再印刷範囲内の異常数に応じて再印刷範囲を変更するための範囲変更値設定画面Ｇ３（図１３参照）が表示される。
例えば、図８に示した例で、ユーザーが最小範囲である範囲Ａ（ラベル）を選択した場合、図１３に示した範囲変更値設定画面Ｇ３で「２」を入力すると、次に小さい範囲である範囲Ｂ（シート範囲）内で１つのラベルに異常がある場合には、ラベル１つだけを再印刷するようにし、入力した数字である「２」以上の異常がある場合には、シートごと（すなわち、範囲Ｂで）再印刷を行うようにする。すなわち、ユーザーは、操作部２２５を操作して、指定した再印刷範囲（第１の再印刷範囲）よりも１段階広い再印刷範囲（第２の再印刷範囲）における異常数が所定値（ユーザーの入力値）以上の場合に、第２の再印刷範囲で再印刷するモードを指定することができる。なお、異常数の代わりに、異常率（異常ラベル数／全ラベル数）を用いるようにしてもよい。
【００６３】
以上のように、制御部２２１は、画像形成部２２４による再印刷の前に、印刷結果と、決定された再印刷範囲及びその他の再印刷範囲の候補と、再印刷の方法と、を表示部２２６にプレビュー表示させる本発明の表示制御部として機能する。
【００６４】
次に、制御部２２１は、ユーザーによる再印刷範囲の指定内容を取得する（ステップＳ１０５）。
【００６５】
［３．効果］
以上のように、本実施形態に係るラベル印刷装置２０は、用紙にラベルを印刷する画像形成部２２４と、画像形成部２２４によりラベルが印刷された用紙を読み取り、ラベルを検査する画像検査部（検査部２３１）と、画像検査部によりラベルの不良が検出された場合に実施される画像形成部２２４による再印刷の範囲を、再印刷の後工程で後処理装置３０により実施される後処理の情報に基づいて決定する印刷制御部（制御部２２１）と、を備える。
したがって、本実施形態に係るラベル印刷装置２０によれば、ラベルの貼り替えを必要としない最小限の再印刷の範囲を決定することができるため、ラベルの貼り替え作業を不要とすることができる。また、必要以上の分量を再印刷することを抑制することができる。これにより、ユーザーが意図しない再印刷がなくなるため、トナーや用紙等の無駄がなくなるとともに、ユーザーの負荷（ラベルの貼り替え作業等）を低減させることができる。また、ユーザーが再印刷用のデータを作成する必要がなくなるため、異常判定後すぐに再印刷を行うことが可能となり、生産性を向上することができる。
【００６６】
また、本実施形態に係るラベル印刷装置２０は、画像形成部２２４による再印刷の前に、印刷結果と、印刷制御部により決定された再印刷範囲及びその他の再印刷範囲の候補と、再印刷の方法と、を表示部２２６にプレビュー表示させる表示制御部（制御部２２１）を備える。
したがって、本実施形態に係るラベル印刷装置２０によれば、プレビュー表示された再印刷範囲及びその他の再印刷範囲の候補から再印刷範囲を指定することができるので、ユーザーが意図しない再印刷がなくなり、トナーや用紙等の無駄がなくなるとともに、ユーザーの負荷を低減させることができる。
【００６７】
また、本実施形態に係るラベル印刷装置２０によれば、表示部２２６にプレビュー表示された再印刷範囲及びその他の再印刷範囲の候補から、再印刷範囲を指定可能な操作部２２５を備える。
したがって、本実施形態に係るラベル印刷装置２０によれば、プレビュー表示された再印刷範囲及びその他の再印刷範囲の候補から再印刷範囲を指定することができるので、ユーザーが意図しない再印刷がなくなり、トナーや用紙等の無駄がなくなるとともに、ユーザーの負荷を低減させることができる。
【００６８】
また、本実施形態に係るラベル印刷装置２０によれば、操作部２２５は、表示部２２６にプレビュー表示された再印刷範囲及びその他の再印刷範囲の候補以外にも、再印刷範囲を任意に指定可能である。
したがって、本実施形態に係るラベル印刷装置２０によれば、ユーザーが意図する再印刷を行うことができるので、トナーや用紙等の無駄がなくなるとともに、ユーザーの負荷を低減させることができる。
【００６９】
また、本実施形態に係るラベル印刷装置２０によれば、操作部２２５は、再印刷の開始前まで、再印刷範囲を変更可能である。
したがって、本実施形態に係るラベル印刷装置２０によれば、再印刷範囲の指定に時間的な猶予を与えることができるので、ユーザーが熟慮した上で再印刷範囲の指定を行うことが可能となり、適切な再印刷範囲を指定させることができる。
【００７０】
また、本実施形態に係るラベル印刷装置２０によれば、操作部２２５は、再印刷されるラベルにバリアブル領域があり、かつ、バリアブル領域内に連番のデータが含まれている場合、再印刷範囲を連番範囲で指定可能である。
したがって、本実施形態に係るラベル印刷装置２０によれば、連番を纏めて再印刷することで、連番の１部だけ再印刷した場合に必要となる差し込み作業（再印刷されたものを正常印刷されたものの所定位置に差し込む作業）を不要とすることができるので、作業ミスを低減させることが可能となり、作業ミスによる連番の抜けやずれの発生を抑制することができる。
【００７１】
また、本実施形態に係るラベル印刷装置２０によれば、操作部２２５は、後処理にスリット処理が含まれている場合、異常が発生した列と同じ列に再印刷するモードを指定可能である。
したがって、本実施形態に係るラベル印刷装置２０によれば、スリットした用紙ごとに後処理や納品先が異なる場合に、不要なデータが印刷されることを抑制することができるので、印刷物の品質を確保することができる。
【００７２】
また、本実施形態に係るラベル印刷装置２０によれば、操作部２２５は、ユーザーにより指定された第１の再印刷範囲よりも１段階広い第２の再印刷範囲における異常数又は異常率が所定値以上の場合に、第２の再印刷範囲で再印刷するモードを指定可能である。
したがって、本実施形態に係るラベル印刷装置２０によれば、異常がユーザーの想定よりも多く発生した場合に、再印刷範囲をより広い範囲に変更することができるので、ラベルの貼り替え作業の増加を抑制することが可能となり、ユーザーの負担増加を抑制することができる。
【００７３】
以上、本発明に係る実施形態に基づいて具体的に説明したが、本発明は上記実施形態に限定されるものではなく、その要旨を逸脱しない範囲で変更可能である。
【００７４】
例えば、上記実施形態では、型抜きがハーフカットであると判定した場合（ステップＳ２０３：ＮＯ）であって、断裁がないと判定した場合（ステップＳ２０５：ＮＯ）、ページ範囲を再印刷範囲として決定する（ステップＳ２１２）ようにしているが、これに限定されるものではない。例えば、ページ範囲を再印刷範囲として決定する代わりに、ハーフカットの範囲（ラベル１つ分）を再印刷範囲として決定するようにしてもよい。
【００７５】
また、ユーザーが、操作部２２５を操作して、再印刷の開始を、ジョブの最後にするか又は特定の再印刷データが溜まったときにするか、指定することができるようにしてもよい。
このように、操作部２２５が、再印刷の開始を、ジョブの最後にするか又は特定の再印刷データが溜まったときにするか、指定可能であることで、ユーザーが所望するタイミングで再印刷を行うことができるので、再印刷後の対応をスムーズに行わせることができる。
【００７６】
その他、ラベル印刷システムを構成する各装置の細部構成及び各装置の細部動作に関しても、本発明の趣旨を逸脱することのない範囲で適宜変更可能である。
【符号の説明】
【００７７】
１  ラベル印刷システム
１０  サーバー装置
２０  ラベル印刷装置
２１  給紙装置
２２  画像形成装置
２２１  制御部（印刷制御部、表示制御部）
２２２  記憶部
２２３  情報取得部
２２４  画像形成部
２２５  操作部
２２６  表示部
２３  画像検査装置
２３１  検査部（画像検査部）
２４  巻き取り装置
３０  後処理装置
４０  端末装置
Ｎ  通信ネットワーク
【図１】
2020185729.tif 000003
【図２】
2020185729.tif 000004
【図３】
2020185729.tif 000005
【図４】
2020185729.tif 000006
【図５】
2020185729.tif 000007
【図６】
2020185729.tif 000008
【図７】
2020185729.tif 000009
【図８】
2020185729.tif 000010
【図９】
2020185729.tif 000011
【図１０】
2020185729.tif 000012
【図１１】
2020185729.tif 000013
【図１２】
2020185729.tif 000014
【図１３】
2020185729.tif 000015